(57)【要約】【課題】外形から凸な部分がなく、かつ素手で取り外すことができる部材同士の取り付け構造を提供する。【解決手段】係合固定部４は、意匠パネル２の周壁２ａと同一面に形成された舌片部４ａ、舌片部４ａの自由端の側に形成された係合凹部４ｂ、舌片部４ａの自由端の側方に延びた連結部４ｃおよびこの連結部４ｃから舌片部４ａと並列して延びた舌片部４ｄからなる。係合凸部５は、意匠パネル２が取り付けられた機器本体３における周壁２ａと重なる部分３ａに形成される。【選択図】図３
2016111266.tif 000002
【特許請求の範囲】
【請求項１】
取り付けしろとなる周壁に囲まれた取り付け部を有する第１の部材と、
前記第１の部材の前記取り付け部に取り付けられる第２の部材と、
前記第１の部材の前記周壁と同一の面に形成された第１の舌片部、前記第１の舌片部の自由端の側に形成された第１の係合部、前記第１の舌片部の自由端の側方に延びた連結部およびこの連結部から前記第１の舌片部と並列して延びた第２の舌片部からなる係合固定部と、
前記第１の部材が取り付けられた前記第２の部材における前記周壁と重なる部分に形成された第２の係合部とを備え、
前記係合固定部は、前記第１の係合部が前記第２の係合部と係合して前記第１の部材を前記第２の部材に固定し、前記第２の舌片部の自由端の押圧によって前記第２の舌片部の前記第２の部材との当接部を支点として前記連結部とともに前記第１の舌片部の自由端が前記第２の部材から離れる方向に持ち上がって前記第１の係合部と前記第２の係合部との係合が解除される部材同士の取り付け構造。
【請求項２】
前記係合固定部および前記第２の係合部は、前記第２の部材に取り付けられた前記第１の部材を把持する手の複数の指がそれぞれ前記第２の舌片部の自由端に届く複数の箇所に設けられていることを特徴とする請求項１記載の部材同士の取り付け構造。
【請求項３】
前記第２の舌片部は、前記連結部を介して両側方の前記第１の舌片部の自由端とそれぞれ連結されていることを特徴とする請求項１または請求項２記載の部材同士の取り付け構造。
【発明の詳細な説明】
【技術分野】
【０００１】
この発明は、例えば意匠パネルと機器本体のような部材同士の取り付け構造に関する。
【背景技術】
【０００２】
電子機器には、部品点数を削減するため、係合穴部と係合爪との係合のみで意匠パネルを機器本体に取り付けるものがある。
例えば、特許文献１には、係合穴部と係合爪との係合のみで意匠パネルを機器本体に取り付ける構造が記載されている。この構造においては、意匠パネルの取り付けしろとなる部分に板状係合部が形成され、機器本体に設けた係合爪に板状係合部が係合することで、意匠パネルが機器本体に取り付けられる。板状係合部は、一端部に係合穴部が形成され、この一端部と他端部との間に設けられた連結部を介して意匠パネルに接続されている。
意匠パネルの取り付けしろ部分に機器本体を押し込むと、板状係合部が機器本体の係合爪によって起き上がり、最終的に係合穴部と係合爪とが係合する。意匠パネルを機器本体から外す場合、板状係合部の他端部を押すことで連結部が捩じれて板状係合部がシーソー動作して係合穴部と係合爪との係合が解除される。
【先行技術文献】
【特許文献】
【０００３】
【特許文献１】特開平１１−２６１２５３号公報
【発明の概要】
【発明が解決しようとする課題】
【０００４】
特許文献１に記載される取り付け構造は、板状係合部が連結部のみで意匠パネルに接続されており、係合穴部と係合部との係合およびその解除を行う度に連結部が捩じれて負荷がかかる。また、部材同士を係合穴部と係合爪との係合のみで取り付ける構造では、簡単に部材同士が外れないように係合穴部と係合爪との係合は十分に強固にする必要がある。
さらに、板状係合部は、左右いずれかの連結部が破損しただけでも意匠パネルから脱落して再び係合爪との係合ができなくなる。
【０００５】
このような理由から、特許文献１に記載される取り付け構造は、連結部を常に太く丈夫に形成しておく必要がある。連結部を太くすればその剛性は向上するが、素手で板状係合部の他端部を押しただけでは連結部を捩じれさせることが困難になる。
このため、特許文献１に記載の取り付け構造は、マイナスドライバーなどの特別な工具を用いて板状係合部の他端部に強い荷重をかけて係合を外している。
【０００６】
一方、係合穴部と係合爪との係合のみで部材同士を取り付ける構造は、部材同士を取り外す場合、係合穴部と係合爪との係合箇所が複数あっても、これらを１つずつ外していく必要がある。従って、特許文献１に記載の取り付け構造では、マイナスドライバーなどを用いて係合を１つずつ外していく必要があり、取り外し作業に非常に手間がかかる。
【０００７】
また、係合穴部と係合爪との係合箇所が複数ある場合、１つの係合箇所の係合を外しても、他の複数の係合箇所で係合されていると、既に外した係合箇所で係合穴部と係合爪とを十分に引き離すことができず、再び係合してしまうこともある。
これに対して、複数の係合箇所における係合を同時に外す特別な治具を使用することも考えられるが、このような治具を用意するためのコストアップは避けられない。
【０００８】
なお、板状係合部の他端部を押し込み方向とは逆方向に凸になるように折り曲げれば、素手で他端部を押したときの押し込み方向のストロークが大きくなり、係合が外れやすくなる。しかしながら、意匠パネルの外形から凸な部分が生じると、その分だけ周辺部品と接触しやすくなるため、周辺部品との配置間隔を空けるなど、様々なケアが必要となる。
【０００９】
この発明は、上記のような課題を解決するもので、外形から凸な部分がなく、かつ素手で取り外すことができる部材同士の取り付け構造に関する。
【課題を解決するための手段】
【００１０】
この発明に係る部材同士の取り付け構造は、取り付けしろとなる周壁に囲まれた取り付け部を有する第１の部材と、第１の部材の取り付け部に取り付けられる第２の部材と、第１の部材の周壁と同一の面に形成された第１の舌片部、第１の舌片部の自由端の側に形成された第１の係合部、第１の舌片部の自由端の側方に延びた連結部およびこの連結部から第１の舌片部と並列して延びた第２の舌片部からなる係合固定部と、第１の部材が取り付けられた第２の部材における周壁と重なる部分に形成された第２の係合部とを備える。
この構造において、係合固定部は、第１の係合部が第２の係合部と係合して第１の部材を第２の部材に固定し、第２の舌片部の自由端の押圧によって第２の舌片部の第２の部材との当接部を支点として連結部とともに第１の舌片部の自由端が第２の部材から離れる方向に持ち上がって第１の係合部と第２の係合部との係合が解除される。
【発明の効果】
【００１１】
この発明によれば、外形から凸な部分がなく、かつ素手で取り外すことができるという効果がある。
【図面の簡単な説明】
【００１２】
【図１】この発明の実施の形態１に係る部材同士の取り付け構造を用いた電子機器を示す斜視図である。
【図２】図１の電子機器の分解斜視図である。
【図３】実施の形態１に係る部材同士の取り付け構造を示す斜視図である。
【図４】実施の形態１に係る部材同士の取り付け構造を図３のＢ−Ｂ線で切った断面矢示図である。
【図５】図４における係合固定部と係合凸部との係合を解除した状態の断面矢示図である。
【図６】実施の形態１に係る部材同士の取り付け構造の配置例を示す図である。
【図７】実施の形態１に係る部材同士の取り付け構造の変形例を示す図である。
【発明を実施するための形態】
【００１３】
実施の形態１．
図１は、この発明の実施の形態１に係る部材同士の取り付け構造を用いた電子機器１を示す斜視図である。図２は、図１の電子機器１の分解斜視図である。図１において、車両に搭載されるディスク再生装置を、電子機器１として例示している。この電子機器１は、意匠パネル２および機器本体３を備えて構成される。
【００１４】
意匠パネル２は、この発明における第１の部材を具体化したものであって、図２に示すように取り付けしろとなる周壁２ａに囲まれた取り付け部２ｂを有する。周壁２ａには、係合固定部４が形成されている。
【００１５】
機器本体３は、この発明における第２の部材を具体化したものであり、意匠パネル２の取り付け部２ｂに取り付けられる。機器本体３における周壁２ａと重なる部分には、係合凸部５が形成されている。意匠パネル２と機器本体３とは、係合固定部４と係合凸部５との係合固定によって取り付けられる。
【００１６】
図３は、実施の形態１に係る部材同士の取り付け構造を示す斜視図であり、係合固定部４と係合凸部５との係合した部分を示している。図４は、上記部材同士の取り付け構造を図３のＢ−Ｂ線で切った断面矢示図である。図５は、図４における係合固定部４と係合凸部５との係合を解除した状態の断面矢示図である。図３に示すように、係合固定部４は、舌片部４ａ、係合凹部４ｂ、連結部４ｃおよび舌片部４ｄを備えて構成される。
【００１７】
舌片部４ａは、この発明における第１の舌片部を具体化したものであって、図３に示すように、意匠パネル２の周壁２ａに設けた切り溝によって周壁２ａと同一の面に形成される。すなわち、舌片部４ａは、図４に示す意匠パネル２の外形ラインＣに沿って形成されており、外形ラインＣから突出しない。
【００１８】
また、舌片部４ａは、周壁２ａに接続した部分を基部として自由端が上下に撓む可撓性を有する。係合凹部４ｂは、この発明における第１の係合部を具体化したものであって、舌片部４ａの自由端の側に形成された貫通孔である。
【００１９】
連結部４ｃは、舌片部４ａの自由端の側方に延びて形成された部分である。
舌片部４ｄは、この発明における第２の舌片部を具体化したものであって、図３に示すように、連結部４ｃから舌片部４ａと並列して延びた舌片である。なお、舌片部４ｄは、連結部４ｃに接続する部分を基部として自由端が上下に撓む可撓性を有する。
【００２０】
また、舌片部４ｄは、周壁２ａから突出しないように屈曲して機器本体３と当接している。すなわち、舌片部４ｄは、屈曲した形状であっても意匠パネル２の外形ラインＣから突出しない。このように、係合固定部４を構成する、舌片部４ａ，４ｄおよび連結部４ｃは、意匠パネル２の外形ラインＣから凸な部分がない。
【００２１】
なお、舌片部４ｄの屈曲した部分が、図４に示すように機器本体３における周壁２ａと重なる部分３ａの端部ｂに当接する当接部となる。このように端部ｂに当接することで、舌片部４ｄの屈曲した部分から先の下方には機器本体３の部位がなく、舌片部４ｄの自由端が押圧されたときに舌片部４ｄが下方に撓む分の空間が確保されている。
【００２２】
また、係合凸部５は、機器本体３における周壁２ａと重なる部分３ａに形成された凸部であり、図５に示すように、端部ｂの方向に下る傾斜面を有している。
意匠パネル２を機器本体３に取り付ける場合には、意匠パネル２の周壁２ａで囲まれた取り付け部２ｂを機器本体３に押し込んでいく。このとき、係合固定部４の舌片部４ａが係合凸部５の上記傾斜面を登るように摺動して撓み、この傾斜面が終わったところで係合凹部４ｂに係合凸部５が嵌合して舌片部４ａの撓みが解消される。このようにして、意匠パネル２が機器本体３に固定される。
【００２３】
意匠パネル２を機器本体３から外す場合は、図４に示すように、舌片部４ｄの自由端を矢印Ｄの方向に押圧する。このまま舌片部４ｄを下方に押し込んでいくと、機器本体３の端部ｂと当接する屈曲部を支点として、図５の矢印Ｅで示す機器本体３から離れる方向に連結部４ｃとともに舌片部４ａの自由端が持ち上がる。このようにして係合凹部４ｂから係合凸部５が外れ、係合凹部４ｂと係合凸部５の係合が解除される。
【００２４】
舌片部４ａは、図３に示したように、周壁２ａの端辺に向けて自由端が位置するように延びた舌片である。一方、舌片部４ｄは、舌片部４ａとは反対側に自由端が位置するように延びた舌片である。
例えば、特許文献１のラッチ板における連結部を境とした一方を長くすると、長くした方向にスペースが占有される。これに対して、係合固定部４は、舌片部４ａに対して舌片部４ｄが逆方向に延びているため、その分だけスペースを有効に使うことができる。
このように、本発明では、舌片部４ｄを周壁２ａに沿って連結部４ｃから長く延出してもスペースを有効に使用でき、これにより、支点となる当接部から力点となる自由端までの距離を長くすることができる。
また、舌片部４ｄの自由端の押圧によって舌片部４ａの自由端を持ち上げる高さは、係合凸部５の高さ程度であればよい。
従って、係合固定部４は、作業者の素手で加えることができる押圧荷重で係合凹部４ｂと係合凸部５の係合を解除することが可能である。
【００２５】
また、係合固定部４では、連結部４ｃが折れても舌片部４ａは脱落せず、係合凹部４ｂと係合凸部５の係合は継続する。このように実施の形態１に係る部材同士の取り付け構造は、特許文献１の構造に比べて取り付けの信頼性は格段に向上している。
【００２６】
次に、係合固定部４および係合凸部５の配置に関して説明する。
図６は、実施の形態１に係る部材同士の取り付け構造の配置例を示す図であって、この構造を適用した電子機器１の正面図である。図６において、意匠パネル２の左右端部は、片手で把持が可能な寸法であるものとする。この場合、実施の形態１では、係合固定部４および係合凸部５を、意匠パネル２を把持する手の複数の指がそれぞれ舌片部４ｄの自由端に届く複数の箇所Ｐ１，Ｐ２，Ｐ３に配置する。例えば、親指、人差し指、中指を使用して舌片部４ｄを同時に押圧可能な箇所に設ける。
【００２７】
このように構成することで、複数箇所の係合を同時に解除できるので、取り外し作業の手間を大幅に軽減することが可能である。
また、複数の係合箇所の係合を同時に解除して係合固定部４と係合凸部５とを引き離すことができるので、既に外した係合箇所で再び係合することを防止できる。
【００２８】
また、図７は、実施の形態１に係る部材同士の取り付け構造の変形例を示す図であり、係合固定部４Ａの上面図を示している。図７に示すように、係合固定部４Ａにおいては、舌片部４ｄが、連結部４ｃ−１，４ｃ−２を介して両側方の舌片部４ａ−１，４ａ−２の自由端にそれぞれ連結されている。舌片部４ｄの自由端を押圧すると、舌片部４ａ−１，４ａ−２が機器本体３に当接する部位を支点として、機器本体３から離れる方向に連結部４ｃ−１，４ｃ−２とともに舌片部４ａ−１，４ａ−２の自由端が持ち上がる。
これにより、係合凹部４ｂ−１，４ｂ−２から係合凸部５が外れ、係合凹部４ｂ−１，４ｂ−２と係合凸部５，５との係合が同時に解除される。
このように構成することで、複数箇所の係合固定を１つの舌片部４ｄの操作で解除することができる。これにより、取り外し作業の手間を軽減できる。
【００２９】
なお、これまでの説明では、係合固定部４に係合凹部４ｂ、機器本体３に係合凸部５を設けた場合を示したが、これに限定されるものではない。
例えば、係合固定部４の舌片部４ａに係合凸部を設け、機器本体３に係合凹部を設けた構成であってもよい。
【００３０】
また、意匠パネル２を機器本体３に取り付ける構造を示したが、これに限定されるものではない。すなわち、この発明に係る部材同士の取り付け構造は、係合部間の係合で取り付ける様々な部材に適用することができる。
【００３１】
以上のように、この実施の形態１に係る部材同士の取り付け構造は、例えば、意匠パネル２と機器本体３の取り付けで具体化される。ここで、意匠パネル２は、取り付けしろとなる周壁２ａに囲まれた取り付け部２ｂを有する。機器本体３は、意匠パネル２の取り付け部２ｂに取り付けられる。
係合固定部４は、意匠パネル２の周壁２ａと同一の面に形成された舌片部４ａ、舌片部４ａの自由端の側に形成された係合凹部４ｂ、舌片部４ａの自由端の側方に延びた連結部４ｃおよびこの連結部４ｃから舌片部４ａと並列して延びた舌片部４ｄからなる。
係合凸部５は、意匠パネル２が取り付けられた機器本体３における周壁２ａと重なる部分に形成される。
この構造において、係合固定部４は、係合凹部４ｂが係合凸部５と係合して意匠パネル２を機器本体３に固定し、舌片部４ｄの自由端の押圧によって舌片部４ｄと機器本体３との当接部を支点として連結部４ｃとともに舌片部４ａの自由端が機器本体３から離れる方向に持ち上がって係合凹部４ｂと係合凸部５との係合が解除される。
このように、舌片部４ａ，４ｄおよび連結部４ｃは、意匠パネル２の外形から凸な部分がない。また、舌片部４ｄは、舌片部４ａと逆方向に延びた舌片であるので、係合箇所を設けるスペースを有効に使用することができる。なお、舌片部４ｄにおける支点から力点までの距離を長くすれば、係合凹部４ｂと係合凸部５の係合を解除するために必要な荷重を軽減することができる。
【００３２】
また、この実施の形態１によれば、係合固定部４および係合凸部５は、機器本体３に取り付けられた意匠パネル２を把持する手の複数の指がそれぞれ舌片部４ｄの自由端に届く複数の箇所Ｐ１，Ｐ２，Ｐ３に設けられる。これによって、複数箇所の係合を同時に解除できるので、取り外し作業の手間を大幅に軽減することが可能である。
【００３３】
さらに、この実施の形態１によれば、舌片部４ｄは、連結部４ｃ−１，４ｃ−２を介して両側方の舌片部４ａ−１，４ａ−２の自由端とそれぞれ連結されている。これにより、複数箇所の係合固定を１つの舌片部４ｄの操作で解除することができる。
【００３４】
なお、本発明はその発明の範囲内において、実施の形態の任意の構成要素の変形、もしくは実施の形態の任意の構成要素の省略が可能である。
【符号の説明】
【００３５】
１  電子機器、２  意匠パネル、２ａ  周壁、２ｂ  取り付け部、３  機器本体、４，４Ａ  係合固定部、４ａ，４ａ−１，４ａ−２，４ｄ  舌片部、４ｂ，４ｂ−１，４ｂ−２  係合凹部、４ｃ，４ｃ−１，４ｃ−２  連結部、５  係合凸部。
【図１】
2016111266.tif 000003
【図２】
2016111266.tif 000004
【図３】
2016111266.tif 000005
【図４】
2016111266.tif 000006
【図５】
2016111266.tif 000007
【図６】
2016111266.tif 000008
【図７】
2016111266.tif 000009